(57)【要約】【課題】  腕時計の長さに応じて第２の湾曲部を良好に弾性変形させることができ、これにより腕時計の長さが異なっていても、良好に且つ確実に腕時計を巻付部に巻き付けて展示することができる腕時計用梱包部材を提供する。【解決手段】  巻付部２は、腕時計ケース４が位置する傾斜部１０と、この傾斜部１０の下端から傾斜部１０の上部後方に向けて湾曲形成されて下辺部側の時計バンド５が位置する第１の湾曲部１１と、傾斜部１０の上端から第１の湾曲部１１の下部後方に向けて第１の湾曲部１１よりも曲率半径が大きく湾曲形成されて上辺部側の時計バンド５が位置する弾性変形可能な第２の湾曲部１２とを有する。従って、腕時計３の長さに応じて第２の湾曲部１２を良好に弾性変形させることができ、これにより腕時計３の長さが異なっていても、良好に且つ確実に腕時計３を巻付部２に巻き付けて展示することができる。【選択図】        図３
2009153533.tif 000002
【特許請求の範囲】
【請求項１】
腕時計本体の上下辺部側に時計バンドが取り付けられた腕時計を巻き付けて展示するためのほぼ環状の巻付部を備えた腕時計用梱包部材において、
前記巻付部は、
前記腕時計本体が位置する傾斜部と、
この傾斜部の下端から当該傾斜部の上部後方に向けて湾曲形成されて前記腕時計本体の下辺部側の前記時計バンドが位置する第１の湾曲部と、
前記傾斜部の上端から前記第１の湾曲部の下部後方に向けて前記第１の湾曲部よりも曲率半径が大きく湾曲形成されて前記腕時計本体の上辺部側の前記時計バンドが位置する弾性変形可能な第２の湾曲部と
を有することを特徴とする腕時計用梱包部材。
【請求項２】
前記巻付部における一方側の側部は、前記第２の湾曲部を除いて、スタンド部に設けられていることを特徴とする請求項１に記載の腕時計用梱包部材。
【請求項３】
前記第２の湾曲部の下端部には、前記傾斜部と反対側に向けて傾斜する係止部が設けられていることを特徴とする請求項１または２に記載の腕時計用梱包部材。
【請求項４】
前記巻付部と反対側に位置する前記スタンド部の側部には、前記巻付部にほぼ対応して連続する筒状部が設けられていることを特徴とする請求項２または３に記載の腕時計用梱包部材。
【請求項５】
前記巻付部と前記スタンド部との境界部分における上部側には、スリット溝が形成されていることを特徴とする請求項４に記載の腕時計用梱包部材。
【請求項６】
前記巻付部の側部には蓋体が取り付けられていることを特徴とする請求項１〜５のいずれかに記載の腕時計用梱包部材。
【請求項７】
前記蓋体には、前記巻付部の外周面側に向けて突出する鍔部が設けられていることを特徴とする請求項６に記載の腕時計用梱包部材。
【請求項８】
前記巻付部と前記蓋体とを係脱可能にロックするためのロック部を備えていることを特徴とする請求項６または７に記載の腕時計用梱包部材。
【請求項９】
前記スタンド部は硬質の合成樹脂で形成され、前記巻付部は前記スタンド部よりも軟質の合成樹脂で形成されていることを特徴とする請求項２〜８のいずれかに記載の腕時計用梱包部材。
【発明の詳細な説明】
【技術分野】
【０００１】
この発明は、腕時計を梱包して展示するための腕時計用梱包部材に関する。
【背景技術】
【０００２】
従来、腕時計用梱包部材においては、特許文献１に記載されているように、腕時計ケースの１２時側である上辺部側と６時側である下辺部側とに時計バンドが取り付けられた腕時計を巻き付けて展示するためのほぼ環状の巻付部を備えたものが知られている。
【特許文献１】実開平０２−１４７０７１
【０００３】
すなわち、巻付部は、腕時計の腕時計ケースが位置する傾斜部と、この傾斜部の下端から傾斜部の上部後方に向けて湾曲形成されて腕時計ケースの下辺部側の時計バンドが位置する下側湾曲部と、傾斜部の上端から傾斜部の下部後方に向けて湾曲形成されて腕時計ケースの上辺部側の時計バンドが位置する弾性変形可能な上側湾曲部とを有し、全体がほぼＣ字形状に形成されている。
【０００４】
このような腕時計用梱包部材では、巻付部の傾斜部に腕時計ケースを配置すると共に、この腕時計ケースの下辺部側に位置する時計バンドを下側湾曲部に沿って配置し、且つ腕時計ケースの上辺部側に位置する時計バンドを上側湾曲部に沿って配置することにより、腕時計全体を巻付部に巻き付けて展示するように構成されている。
【発明の開示】
【発明が解決しようとする課題】
【０００５】
しかしながら、このような従来の腕時計用梱包部材では、腕時計を巻き付けて展示する巻付部の弾性変形可能な上側湾曲部が下側湾曲部とほぼ同じ曲率半径であるから、上側湾曲部の弾性変形範囲が小さく、長さの短い腕時計を巻き付ける際、十分に上側湾曲部を弾性変形させることができず、このため良好に且つ確実に腕時計を巻付部に巻き付けて展示することができないという問題がある。
【０００６】
この発明が解決しようとする課題は、腕時計の長さに応じて第２の湾曲部を良好に弾性変形させることができ、これにより腕時計の長さが異なっていても、良好に且つ確実に腕時計を巻付部に巻き付けて展示することができる腕時計用梱包部材を提供することである。
【課題を解決するための手段】
【０００７】
この発明は、上記課題を解決するために、次のような構成要素を備えている。
請求項１に記載の発明は、腕時計本体の上下辺部側に時計バンドが取り付けられた腕時計を巻き付けて展示するためのほぼ環状の巻付部を備えた腕時計用梱包部材において、前記巻付部は、前記腕時計本体が位置する傾斜部と、この傾斜部の下端から当該傾斜部の上部後方に向けて湾曲形成されて前記腕時計本体の下辺部側の前記時計バンドが位置する第１の湾曲部と、前記傾斜部の上端から前記第１の湾曲部の下部後方に向けて前記第１の湾曲部よりも曲率半径が大きく湾曲形成されて前記腕時計本体の上辺部側の前記時計バンドが位置する弾性変形可能な第２の湾曲部とを有することを特徴とする腕時計用梱包部材である。
【０００８】
請求項２に記載の発明は、前記巻付部における一方側の側部が、前記第２の湾曲部を除いて、スタンド部に設けられていることを特徴とする請求項１に記載の腕時計用梱包部材である。
【０００９】
請求項３に記載の発明は、前記第２の湾曲部の下端部に、前記傾斜部と反対側に向けて傾斜する係止部が設けられていることを特徴とする請求項１または２に記載の腕時計用梱包部材である。
【００１０】
請求項４に記載の発明は、前記巻付部と反対側に位置する前記スタンド部の側部に、前記巻付部にほぼ対応して連続する筒状部が設けられていることを特徴とする請求項２または３に記載の腕時計用梱包部材である。
【００１１】
請求項５に記載の発明は、前記巻付部と前記スタンド部との境界部分における上部側に、スリット溝が形成されていることを特徴とする請求項４に記載の腕時計用梱包部材である。
【００１２】
請求項６に記載の発明は、前記巻付部の側部に蓋体が取り付けられていることを特徴とする請求項１〜５のいずれかに記載の腕時計用梱包部材である。
【００１３】
請求項７に記載の発明は、前記蓋体に、前記巻付部の外周面側に向けて突出する鍔部が設けられていることを特徴とする請求項６に記載の腕時計用梱包部材である。
【００１４】
請求項８に記載の発明は、前記巻付部と前記蓋体とを係脱可能にロックするためのロック部を備えていることを特徴とする請求項６または７に記載の腕時計用梱包部材である。
【００１５】
請求項９に記載の発明は、前記スタンド部が硬質の合成樹脂で形成され、前記巻付部は前記スタンド部よりも軟質の合成樹脂で形成されていることを特徴とする請求項２〜８のいずれかに記載の腕時計用梱包部材である。
【発明の効果】
【００１６】
この発明によれば、腕時計を巻付部に巻き付けて展示する際、腕時計の腕時計本体を傾斜部に配置し、この腕時計本体の下辺部側に位置する時計バンドを第１の湾曲部に沿って配置し、腕時計本体の上辺部側に位置する時計バンドを弾性変形可能な第２の湾曲部に沿って配置し、この状態で巻付部を腕時計で締めて第２の湾曲部を弾性変形させることにより、腕時計を巻付部に巻き付けることができる。このときには、第２の湾曲部が第１の湾曲部よりも曲率半径が大きく湾曲形成されていることにより、腕時計の長さに応じて第２の湾曲部を良好に弾性変形させることができ、これにより腕時計全体の長さが異なっていても、良好に且つ確実に腕時計を巻付部に巻き付けて展示することができる。
【発明を実施するための最良の形態】
【００１７】
（実施形態１）
以下、図１〜図３を参照して、この発明を適用した腕時計用梱包部材の実施形態１について説明する。
この腕時計用梱包部材は、図１〜図３に示すように、卓上などの載置面Ｓ上に載置されるスタンド部１と、腕時計３が巻き付けられる巻付部２とを備えている。この場合、腕時計３は、図３に２点鎖線で示すように、腕時計本体である腕時計ケース４と、この腕時計ケース４の１２時側と６時側との上下辺部に取り付けられた時計バンド５とを備え、この時計バンド５が尾錠６によって連結された構成になっている。
【００１８】
スタンド部１は、図１および図２に示すように、載置面Ｓ上に配置される載置部７と、この載置部７の一方の側部（図２では左側部）に起立して設けられた板状の支持部８とを備えている。この場合、載置部７は、下面側が開放されたほぼ長方形の逆皿形状に形成されている。支持部８は、図１および図２に示すように、載置部７の前側半分（図１では左側半分）程度に位置する部分から立上る支持立上り部８ａと、この支持立上り部８ａの上部側が上部後方（図１では右上側）に向けて傾斜する支持傾斜部８ｂとを有するほぼ平板状に形成され、この平板状の支持立上り部８ａの下端部が図２に示すように載置部７の側部に一体に形成されている。
【００１９】
巻付部２は、図１および図３に示すように、腕時計３の腕時計本体である腕時計ケース４が位置する傾斜部１０と、この傾斜部１０の下端から傾斜部１０の上部後方（図１では上部右側）に向けて湾曲形成されて腕時計ケース４の６時側である下辺部側の時計バンド５が位置する第１の湾曲部１１と、傾斜部１０の上端から第１の湾曲部１１の下部後方（図１では下部右側）に向けて第１の湾曲部１１よりも曲率半径が大きく湾曲形成されて腕時計ケース４の１２時側である上辺部側の時計バンド５が位置する弾性変形可能な第２の湾曲部１２とを有し、これらが合成樹脂によってほぼ環状に連続した状態で一体に形成された構成になっている。
【００２０】
この場合、巻付部２は、図１および図２に示すように、スタンド部１の載置部７側に位置する一方側の側部（図１では左側の側部）がスタンド部１における支持部８の支持傾斜部８ｂに一体に形成され、これによりスタンド部１における支持部８の支持傾斜部８ｂと巻付部２とで囲われた領域が取扱い説明書などを収納する収納部１３を形成するように構成されている。
【００２１】
ところで、傾斜部１０は、図１に示すように、スタンド部１における支持部８の支持傾斜部８ｂの前端部に沿って傾斜した状態で設けられている。第１の湾曲部１１は、図１に示すように、傾斜部１０の下端部からスタンド部１における支持部８の支持傾斜部８ｂの下部側を経て支持部８の支持傾斜部８ｂの後側上部（図１では右上部）に亘って設けられている。第２の湾曲部１２は、図１に示すように、スタンド部１における支持部８の支持傾斜部８ｂの前側上部に位置する傾斜部１０の上端部１０ａから支持部８の支持傾斜部８ｂの後方（図１では右側）を経て、第１の湾曲部１１の下部後方（図２では右下側）に向けて設けられている。
【００２２】
すなわち、この第２の湾曲部１２は、傾斜部１０の上端部１０ａから第１の湾曲部１１の上端部よりも後方（図１では右側）を経て、下端部側がほぼ垂直に下側に向けて延び、この下端部が第１の湾曲部１１の下端部とほぼ同じ高さに位置するように形成されている。これにより、第２の湾曲部１２は、第１の湾曲部１１の曲率半径よりも大きく湾曲形成され、傾斜部１０の上端部１０ａを支点として、スタンド部１の前後方向（図１では左右方向）に弾性変形するように構成されている。なお、第１の湾曲部１１の後側下部には、盗難防止用のワイヤーを取り付けるための取付部１４が設けられている。
【００２３】
このような腕時計用梱包部材によれば、腕時計３の腕時計ケース４が位置する傾斜部１０と、この傾斜部１０の下端から傾斜部１０の上部後方に向けて湾曲形成されて腕時計ケース４の６時側である下辺部側の時計バンド５が位置する第１の湾曲部１１と、傾斜部１０の上端から第１の湾曲部１１の下部後方に向けて第１の湾曲部１１よりも曲率半径が大きく湾曲形成されて腕時計ケース４の１２時側である上辺部側の時計バンド５が位置する弾性変形可能な第２の湾曲部１２とを有しているので、腕時計の長さが異なっていても、良好に且つ確実に腕時計３を巻付部２に巻き付けて展示することができる。
【００２４】
すなわち、この腕時計用梱包部材によれば、腕時計３を巻付部２に巻き付けて展示する際、腕時計３の腕時計ケース４を傾斜部１０に配置し、この腕時計ケース４５の６時側である下辺部側に位置する時計バンド５を第１の湾曲部１１に沿って配置し、腕時計ケース４の１２時側である上辺部側に位置する時計バンド５を第１の湾曲部１１よりも曲率半径が大きく湾曲形成された弾性変形可能な第２の湾曲部１２に沿って配置し、この状態で巻付部２を腕時計３の時計バンド５で締めて第２の湾曲部１２を弾性変形させることにより、腕時計３を巻付部２に巻き付けることができる。
【００２５】
このときには、第２の湾曲部１２は、図１に示すように、傾斜部１０の上端から第１の湾曲部１１の下部後方に向けて第１の湾曲部１１よりも曲率半径が大きく湾曲形成されているので、第２の湾曲部１２の弾性変形範囲を広くすることができ、これにより傾斜部１０の上端部１０ａを支点として、第２の湾曲部１２の下部側を前後方向に大きく弾性変形させることができる。このため、腕時計３の長さに応じて第２の湾曲部１２を良好に弾性変形させることができるので、良好に且つ確実に腕時計３を巻付部２に巻き付けて展示することができる。
【００２６】
例えば、男性用腕時計のような長さの長い腕時計３を巻付部２に巻き付けて締めると、第２の湾曲部１２の下部側がその弾性力によって時計バンド５を後方に向けて押すので、長さの長い腕時計３でも良好に且つ確実に腕時計３を巻付部２に巻き付けて展示することができる。また、女性用腕時計のような長さの短い腕時計３を巻付部２に巻き付ける際には、第２の湾曲部１２の下部側が前方に向けて大きく弾性変位するので、長さの短い腕時計３でも良好に且つ確実に巻付部２に巻き付けて展示することができる。
【００２７】
これにより、腕時計３全体の長さが異なっていても、腕時計３の長さに応じて第２の湾曲部１２が前後方向に良好に弾性変形するので、良好に且つ確実に腕時計３を巻付部２に巻き付けて展示することができる。また、巻付部２の側部がスタンド部１に設けられているので、このスタンド部１を載置面Ｓ上に配置することにより、スタンド部１によって支持された巻付部２に巻き付けられた腕時計３を良好に展示することができる。
【００２８】
なお、上記実施形態１では、第２の湾曲部１２の下端部をほぼ垂直に下側に延ばした場合について述べたが、これに限らず、例えば図４に示す変形例のように、第２の湾曲部１２の下端部に傾斜部１０と反対側に向けて傾斜する係止部１５を設けた構成でも良い。このように構成すれば、巻付部２に腕時計３を巻き付けた際、第２の湾曲部１２の下端部に設けられた係止部１５によって時計バンド５を連結する尾錠６を係止することができ、これにより展示中や輸送中に腕時計３が巻付部２の外周面に沿ってずれるのを防ぐことができる。
【００２９】
また、上記実施形態１およびその変形例では、スタンド部１と巻付部２とを同じ材料で形成した場合について述べたが、これに限らず、スタンド部１と巻付部２とを異なる材料で、２色成形によって一体に成形した構成でも良い。この場合には、スタンド部１を硬質の合成樹脂によって形成し、巻付部２をスタンド部１よりも軟質の合成樹脂で形成することが望ましい。このように構成すれば、巻付部２の第２の湾曲部１２を弾性変形しやすくすることができるので、より一層、腕時計３を巻付部２に良好に巻き付けて展示することができる。
【００３０】
（実施形態２）
次に、図５および図６を参照して、この発明を適用した腕時計用梱包部材の実施形態２について説明する。なお、図１〜図３に示された実施形態１と同一部分には同一符号を付して説明する。
この腕時計用梱包部材は、図５および図６に示すように、巻付部２と反対側（図５では左側）に位置するスタンド部１の支持部８の側面にほぼ楕円形の筒状部２０を設けた構成であり、これ以外は実施形態１とほぼ同じ構成になっている。
【００３１】
すなわち、筒状部２０は、図５および図６に示すように、巻付部２とほぼ同じ形状で、巻付部２にほぼ対応して連続した状態で、スタンド部１の支持部８に一体に形成されている。この場合、スタンド部１の支持部８には、ほぼ楕円形の筒状部２０の内径に対応するほぼ楕円形状の孔が形成されており、この孔を通して巻付部２の内部と筒状部２０の内部とが連続している。また、巻付部２と反対側（図５では左側）に位置する筒状部２０の側部は、側壁部２１によって塞がれている。これにより、巻付部２と筒状部２０との連続する内部は、取扱い説明書などを収納する収納部２２に形成されている。
【００３２】
また、巻付部２と筒状部２０との境界部分における上部側には、図５に示すように、第２の湾曲部１２を筒状部２０から切り離して第２の湾曲部１２の弾性変形を容易にするためのスリット溝２３が設けられている。さらに、筒状部２０における前面側（図５では紙面の表面側）には、図５および図６に示すように、その上部から上方に向けて延びた上側延出部２０ａと、下部から下方に向けて延びた下側延出部２０ｂとが設けられている。これにより、筒状部２０の前面側は、筒状部２０の前面と、上側延出部２０ａと、下側延出部２０ｂとによって広告などを掲示する広告スペース２４に形成されている。
【００３３】
このような腕時計用梱包部材によれば、実施形態１と同様の作用効果があるほか、巻付部２と反対側に位置するスタンド部１の支持部８の側面に、巻付部２とほぼ同じ形状で巻付部２にほぼ対応して連続する筒状部２０を設けたので、巻付部２と筒状部２０との連続する内部に取扱い説明書などを収納する収納部２２を実施形態１よりも大きく形成することができ、これにより取扱い説明書などの収納物を十分に収納することができると共に、この筒状部２０の前面を広告スペース２４として利用することができる。
【００３４】
この場合、筒状部２０の前面側には、筒状部２０の前面から上側に延びる上側延出部２０ａと、筒状部２０の前面から下側に延びる下側延出部２０ｂとが設けられているので、筒状部２０の前面と、上側延出部２０ａと、下側延出部２０ｂとによって、広告スペース２４の表面積を広くすることができ、これにより広告などを良好に掲示することができ、宣伝効果を高めることができる。また、スタンド部１の支持部８の側面に筒状部２０を設けても、巻付部２と筒状部２０との境界部分における上部側にスリット溝２３が設けられているので、第２の湾曲部１２を筒状部２０から切り離して第２の湾曲部１２の弾性変形を容易にすることができる。
【００３５】
（実施形態３）
次に、図７および図８を参照して、この発明を適用した腕時計用梱包部材の実施形態３について説明する。この場合には、図５および図６に示された実施形態２と同一部分に同一符号を付して説明する。
この腕時計用梱包部材は、図７および図８に示すように、スタンド部１の支持部８と反対側（図７では右側）に位置する巻付部２の開放された側部に蓋体２５を取り付けた構成であり、これ以外は実施形態２とほぼ同じ構成になっている。
【００３６】
すなわち、この蓋体２５は、図７に示すように、巻付部２内に挿入して嵌合する嵌合部２６と、この嵌合部２６の外周に設けられた鍔部２７とを備え、図８に示すように、全体がほぼ楕円形の板状に形成されている。この場合、鍔部２７は、図７に示すように、巻付部２の外周面よりも外周側に向けて突出するように形成されている。また、この鍔部２７の外周部には、図７および図８に示すように、腕時計３を巻付部２に固定するための輪ゴムや紐などを係止する突起部２８が設けられている。
【００３７】
このような腕時計用梱包部材によれば、実施形態２と同様の作用効果があるほか、巻付部２の開放された側部に蓋体２５が取り付けられているので、腕時計３による締め付けによって第２の湾曲部１２が弾性変形する際、蓋体２５によって第２の湾曲部１２の弾性変形を規制することができ、これにより過大な締め付けによって第２の湾曲部１２が破損するのを防ぐことができる。この場合、巻付部２の開放された側部に取り付けられた蓋体２５によって、収納部２２に収納された取扱い説明書などの収納物が脱落するのを防ぐことができると共に、取扱い説明書などの収納物を隠すことができ、これにより展示時における外観を向上させることができる。
【００３８】
また、この蓋体２５は、その外周部に鍔部２７が巻付部２の外周面よりも外周側に向けて突出して設けられているので、巻付部２に腕時計３を巻き付けた際、腕時計３の側部が鍔部２７に当接することにより、腕時計３が巻付部２から側方に抜け出すのを防ぐことができる。さらに、鍔部２７の外周部に突起部２８が設けられているので、腕時計３を巻付部２に固定するための輪ゴムや紐などを突起部２８に係止させることができ、これにより腕時計３を巻付部２に容易に且つ良好に固定させることができる。
【００３９】
（実施形態４）
次に、図９および図１０を参照して、この発明を適用した腕時計用梱包部材の実施形態４について説明する。この場合には、図７および図８に示された実施形態３と同一部分に同一符号を付して説明する。
この腕時計用梱包部材は、図１０に示すように、巻付部２と蓋体２５とを係脱可能にロックするためのロック部３０を備えた構成であり、これ以外は実施形態３とほぼ同じ構成になっている。
【００４０】
このロック部３０は、図９および図１０に示すように、巻付部２の開放側（図１０では上部側）に位置する内周面に設けられた係合凸部３１と、蓋体２５の嵌合部２６の外周面に設けられた係止凹部３２とを備え、蓋体２５の嵌合部２６を巻付部２の開放側の側部（図１０では上部側）に挿入させて嵌合させた際に、巻付部２の係合凸部３１が蓋体２５の係止凹部３２に係脱可能に係合することにより、蓋体２５を巻付部２にロックするように構成されている。
【００４１】
このような腕時計用梱包部材によれば、実施形態３と同様の作用効果があるほか、巻付部２と蓋体２５とを係脱可能にロックするためのロック部３０を備えているので、蓋体２５の嵌合部２６を巻付部２の開放側の側部に挿入させて嵌合させた際に、ロック部３０によって蓋体２５を巻付部２にロックすることができる。このため、展示中や輸送中に蓋体２５が巻付部２から脱落することがないので、収納部２２に収納された取扱い説明書などの収納物が外部から見えたり脱落したりするのを確実に防ぐことができ、これにより外観的にも好ましいものを提供することができる。
【００４２】
なお、上記実施形態２〜４では、スタンド部１と巻付部２とを同じ材料で形成した場合について述べたが、これに限らず、スタンド部１と巻付部２とを異なる材料で、２色成形によって一体に成形した構成でも良い。この場合には、スタンド部１および筒状部２０を硬質の合成樹脂によって形成し、巻付部２をスタンド部１よりも軟質の合成樹脂で形成することが望ましい。このように構成すれば、巻付部２の第２の湾曲部１２を弾性変形しやすくすることができるので、より一層、腕時計３を巻付部２に良好に巻き付けて展示することができる。
【００４３】
（実施形態５）
次に、図１１および図１２を参照して、この発明を適用した腕時計用梱包部材の実施形態５について説明する。この場合には、図５および図６に示された実施形態２と同一部分に同一符号を付して説明する。
この腕時計用梱包部材は、図１１に示すように、スタンド部１と巻付部２とを別々に形成して、巻付部２をスタンド部１に取り付けた構成であり、これ以外は実施形態２とほぼ同じ構成になっている。
【００４４】
すなわち、スタンド部１の支持部８には、図１１に示すように、筒状部２０が巻付部２と反対側（図１１では左側）に設けられており、この筒状部２０の支持部８側に位置する側部の内周面には、複数の固定フック３５が所定間隔で設けられている。また、スタンド部１側に位置する巻付部２の側部には、図１１に示すように、筒状部２０内に嵌合する嵌合鍔部３６が設けられており、この嵌合鍔部３６の外周面には、スタンド部１の複数の固定フック３５に係脱可能に係合する複数の係止凹部３７が設けられている。
【００４５】
これにより、巻付部２は、図１１および図１２に示すように、嵌合鍔部３６をスタンド部１の筒状部２０内に挿入させて嵌合させると、スタンド部１の複数の固定フック３５が巻付部２の複数の係止凹部３７に係合することにより、スタンド部１に着脱可能に取り付けられるように構成されている。この場合、スタンド部１および筒状部２０は硬質の合成樹脂によって形成されており、巻付部２はスタンド部１よりも軟質の合成樹脂で形成されている。
【００４６】
このような腕時計用梱包部材によれば、実施形態２と同様の作用効果があるほか、巻付部２の嵌合鍔部３６をスタンド部１の筒状部２０内に挿入させて嵌合させると、スタンド部１の複数の固定フック３５が巻付部２の複数の係止凹部３７に係合することにより、巻付部２をスタンド部１に着脱可能に取り付けることができるので、巻付部２を腕時計３の長さに応じて交換することができる。このため、腕時計３の長さが大きく異なっていても、腕時計３を巻付部２に実施形態２よりも良好に且つ確実に巻き付けることができる。
【００４７】
この場合、スタンド部１および筒状部２０は硬質の合成樹脂によって形成されており、巻付部２はスタンド部１よりも軟質の合成樹脂で形成されているので、実施形態２よりも、より一層、巻付部２の第２の湾曲部１２を弾性変形しやすくすることができ、これにより腕時計３の長さが異なっていても、良好に第２の湾曲部１２を弾性変形させて、腕時計３を巻付部２に巻き付けて展示することができる。
【００４８】
なお、上記実施形態５では、スタンド部１の複数の固定フック３５を巻付部２の複数の係止凹部３７に係合させることにより、巻付部２をスタンド部１に着脱可能に取り付けた場合について述べたが、これに限らず、例えばビスによって巻付部２をスタンド部１に着脱可能に取り付けるように構成しても良く、また巻付部２をスタンド部１に超音波溶着によって取り付けるように構成しても良い。
【図面の簡単な説明】
【００４９】
【図１】この発明を適用した腕時計用梱包部材の実施形態１を示した側面図である。
【図２】図１の腕時計用梱包部材の正面図である。
【図３】図１の腕時計用梱包部材の巻付部に腕時計を巻き付けた状態を示した側面図である。
【図４】実施形態１の腕時計用梱包部材の変形例を示した側面図である。
【図５】この発明を適用した腕時計用梱包部材の実施形態２を示した正面図である。
【図６】図５の腕時計用梱包部材の側面図である。
【図７】この発明を適用した腕時計用梱包部材の実施形態３を示した正面図である。
【図８】図７の腕時計用梱包部材の側面図である。
【図９】この発明を適用した腕時計用梱包部材の実施形態４を示した側面図である。
【図１０】図９のＡ−Ａ矢視における断面図である。
【図１１】この発明を適用した腕時計用梱包部材の実施形態５を分解して示した正面図である。
【図１２】図１１の腕時計用梱包部材を組立てた状態を示した側面図である。
【符号の説明】
【００５０】
１  スタンド部
２  巻付部
３  腕時計
４  腕時計ケース
５  時計バンド
６  尾錠
７  載置部
８  支持部
１０  傾斜部
１１  第１の湾曲部
１２  第２の湾曲部
１５  係止部
２０  筒状部
２３  スリット溝
２４  広告スペース
２５  蓋体
２７  鍔部
３０  ロック部
３５  固定フック
３６  嵌合鍔部
３７  係止凹部
【図１】
2009153533.tif 000003
【図２】
2009153533.tif 000004
【図３】
2009153533.tif 000005
【図４】
2009153533.tif 000006
【図５】
2009153533.tif 000007
【図６】
2009153533.tif 000008
【図７】
2009153533.tif 000009
【図８】
2009153533.tif 000010
【図９】
2009153533.tif 000011
【図１０】
2009153533.tif 000012
【図１１】
2009153533.tif 000013
【図１２】
2009153533.tif 000014